(57)【特許請求の範囲】
【請求項１】
第１区間に対応した第１区間情報と、この第１区間における定期料金に対応した料金情報と、を含む定期券情報を記憶した定期券を発券する定期券発券手段と、
定期券に記憶された定期券情報を読み取る読取手段と、
前記読取手段によって読み取られた定期券情報に含まれる料金情報に基づいて、同一定期料金の前記第１区間とは異なる区間であるとともに前記第１区間を含む経路内の第２区間の候補を検索する検索手段と、
前記定期券発券手段により、前記第２区間に対応した第２区間情報を含む定期券情報を記憶した定期券を発券させる制御手段と、
を備えたことを特徴とする発券機。
【請求項２】
第１区間に対応した第１区間情報と、この第１区間における定期料金に対応した料金情報と、を含む定期券情報を記憶した定期券を発券する定期券発券手段と、
定期券に記憶された定期券情報を読み取る読取手段と、
前記読取手段によって読み取られた定期券情報に含まれる料金情報に基づいて、同一定期料金の前記第１区間とは異なる区間であるとともに前記第１区間を含む経路内の第２区間の候補を検索する検索手段と、
前記検索手段によって検索された第２区間の候補が複数ある場合に、いずれか１つの第２区間候補を指定する指定手段と、
前記定期券発券手段により、前記指定手段によって指定された第２区間に対応した第２区間情報を含む定期券情報を記憶した定期券を発券させる制御手段と、
を備えたことを特徴とする発券機。
【請求項３】
第１区間に対応した第１区間情報と、この第１区間における定期料金に対応した料金情報と、を含む定期券情報を記憶した定期券を発券する定期券発券手段と、
定期券に記憶された定期券情報を読み取る読取手段と、
前記第１区間の定期料金と同一の前記第１区間とは異なる区間であるとともに前記第１区間を含む経路内の第２区間への区間変更を受け付ける区間変更手段と、
前記区間変更手段により、区間変更の要求を受け付けた場合に、前記読取手段によって読み取られた定期券情報に含まれる料金情報に基づいて、同一定期料金の前記第１区間とは異なる第２区間の候補を検索する検索手段と、
前記検索手段によって検索された第２区間の候補が複数ある場合に、いずれか１つの第２区間候補を指定する指定手段と、
前記定期券発券手段により、前記指定手段によって指定された第２区間に対応した第２区間情報を含む定期券情報を記憶した定期券を発券させる制御手段と、
を備えたことを特徴とする発券機。
【請求項４】
第１区間を規定する発駅及び着駅に対応した第１区間情報と、この第１区間における定期料金に対応した料金情報と、を含む定期券情報を記憶した定期券を発券する定期券発券手段と、
定期券に記憶された定期券情報を読み取る読取手段と、
前記読取手段によって読み取られた定期券情報に含まれる料金情報に基づいて、同一定期料金の前記第１区間とは異なる区間であるとともに前記第１区間の前記発駅または前記着駅を起点とした第２区間の候補を検索する検索手段と、
前記定期券発券手段により、前記第２区間に対応した第２区間情報を含む定期券情報を記憶した定期券を発券させる制御手段と、
を備えたことを特徴とする発券機。
【請求項５】
第１区間を規定する発駅及び着駅に対応した第１区間情報と、この第１区間における定期料金に対応した料金情報と、を含む定期券情報を記憶した定期券を発券する定期券発券手段と、
定期券に記憶された定期券情報を読み取る読取手段と、
前記読取手段によって読み取られた定期券情報に含まれる料金情報に基づいて、同一定期料金の前記第１区間とは異なる区間であるとともに前記第１区間の前記発駅または前記着駅を起点とした第２区間の候補を検索する検索手段と、
前記検索手段によって検索された第２区間の候補が複数ある場合に、いずれか１つの第２区間候補を指定する指定手段と、
前記定期券発券手段により、前記指定手段によって指定された第２区間に対応した第２区間情報を含む定期券情報を記憶した定期券を発券させる制御手段と、
を備えたことを特徴とする発券機。
【請求項６】
第１区間を規定する発駅及び着駅に対応した第１区間情報と、この第１区間における定期料金に対応した料金情報と、を含む定期券情報を記憶した定期券を発券する定期券発券手段と、
定期券に記憶された定期券情報を読み取る読取手段と、
前記第１区間の定期料金と同一の前記第１区間とは異なる区間であるとともに前記第１区間の前記発駅または前記着駅を起点とした第２区間への区間変更を受け付ける区間変更手段と、
前記区間変更手段により、区間変更の要求を受け付けた場合に、前記読取手段によって読み取られた定期券情報に含まれる料金情報に基づいて、同一定期料金の前記第１区間とは異なる第２区間の候補を検索する検索手段と、
前記検索手段によって検索された第２区間の候補が複数ある場合に、いずれか１つの第２区間候補を指定する指定手段と、
前記定期券発券手段により、前記指定手段によって指定された第２区間に対応した第２区間情報を含む定期券情報を記憶した定期券を発券させる制御手段と、
を備えたことを特徴とする発券機。
【請求項７】
第１区間を規定する発駅及び着駅に対応した第１区間情報と、この第１区間における定期料金に対応した料金情報と、を含む定期券情報を記憶した定期券を発券する定期券発券手段と、
定期券に記憶された定期券情報を読み取る読取手段と、
前記第１区間の定期料金と同一の前記第１区間とは異なる区間であるとともに前記第１区間の前記発駅または前記着駅を起点とした第２区間への区間変更を受け付ける区間変更手段と、
前記区間変更手段により、区間変更の要求を受け付けた場合に、前記第１区間の前記発駅または前記着駅のいずれか一方を起点として設定する設定手段と、
前記読取手段によって読み取られた定期券情報に含まれる料金情報に基づいて、前記設定手段によって設定された起点に基づいた第２区間の候補を検索する検索手段と、
前記検索手段によって検索された第２区間の候補が複数ある場合に、いずれか１つの第２区間候補を指定する指定手段と、
前記定期券発券手段により、前記指定手段によって指定された第２区間に対応した第２区間情報を含む定期券情報を記憶した定期券を発券させる制御手段と、
を備えたことを特徴とする発券機。
【請求項８】
第１区間に対応した第１区間情報と、この第１区間における定期料金に対応した料金情報と、を含む定期券情報を記憶した定期券を発券する定期券の発券方法において、
定期券に記憶された定期券情報を読み取り、
読み取られた定期券情報に含まれる料金情報に基づいて、同一定期料金の前記第１区間とは異なる区間であるとともに前記第１区間を含む経路内の第２区間の候補を検索し、
前記第２区間に対応した第２区間情報を含む定期券情報を記憶した定期券を発券する、ことを特徴とする発券方法。
【請求項９】
第１区間に対応した第１区間情報と、この第１区間における定期料金に対応した料金情報と、を含む定期券情報を記憶した定期券を発券する定期券の発券方法において、
定期券に記憶された定期券情報を読み取り、
読み取られた定期券情報に含まれる料金情報に基づいて、同一定期料金の前記第１区間とは異なる区間であるとともに前記第１区間を含む経路内の第２区間の候補を検索し、
前記第２区間の候補が複数ある場合に、いずれか１つの第２区間候補を指定させ、
指定された前記第２区間に対応した第２区間情報を含む定期券情報を記憶した定期券を発券する、ことを特徴とする発券方法。
【請求項１０】
第１区間に対応した第１区間情報と、この第１区間における定期料金に対応した料金情報と、を含む定期券情報を記憶した定期券を発券する定期券の発券方法において、
定期券に記憶された定期券情報を読み取り、
前記第１区間の定期料金と同一の前記第１区間とは異なる区間であるとともに前記第１区間を含む経路内の第２区間への区間変更を受け付け、
区間変更の要求を受け付けた場合に、読み取られた定期券情報に含まれる料金情報に基づいて、同一定期料金の前記第１区間とは異なる第２区間の候補を検索し、
前記第２区間の候補が複数ある場合に、いずれか１つの第２区間候補を指定させ、
指定された前記第２区間に対応した第２区間情報を含む定期券情報を記憶した定期券を発券する、ことを特徴とする発券方法。
【請求項１１】
第１区間を規定する発駅及び着駅に対応した第１区間情報と、この第１区間における定期料金に対応した料金情報と、を含む定期券情報を記憶した定期券を発券する定期券の発券方法において、
定期券に記憶された定期券情報を読み取り、
読み取られた定期券情報に含まれる料金情報に基づいて、同一定期料金の前記第１区間とは異なる区間であるとともに前記第１区間の前記発駅または前記着駅を起点とした第２区間の候補を検索し、
前記第２区間に対応した第２区間情報を含む定期券情報を記憶した定期券を発券する、ことを特徴とする発券方法。
【請求項１２】
第１区間を規定する発駅及び着駅に対応した第１区間情報と、この第１区間における定期料金に対応した料金情報と、を含む定期券情報を記憶した定期券を発券する定期券の発券方法において、
定期券に記憶された定期券情報を読み取り、
読み取られた定期券情報に含まれる料金情報に基づいて、同一定期料金の前記第１区間とは異なる区間であるとともに前記第１区間の前記発駅または前記着駅を起点とした第２区間の候補を検索し、
検索された第２区間の候補が複数ある場合に、いずれか１つの第２区間候補を指定させ、
指定された前記第２区間に対応した第２区間情報を含む定期券情報を記憶した定期券を発券する、ことを特徴とする発券方法。
【請求項１３】
第１区間を規定する発駅及び着駅に対応した第１区間情報と、この第１区間における定期料金に対応した料金情報と、を含む定期券情報を記憶した定期券を発券する定期券の発券方法において、
定期券に記憶された定期券情報を読み取り、
前記第１区間の定期料金と同一の前記第１区間とは異なる区間であるとともに前記第１区間の前記発駅または前記着駅を起点とした第２区間への区間変更を受け付け、
区間変更の要求を受け付けた場合に、読み取られた定期券情報に含まれる料金情報に基づいて、同一定期料金の前記第１区間とは異なる第２区間の候補を検索し、
検索された第２区間の候補が複数ある場合に、いずれか１つの第２区間候補を指定させ、
指定された前記第２区間に対応した第２区間情報を含む定期券情報を記憶した定期券を発券する、ことを特徴とする発券方法。
【請求項１４】
第１区間を規定する発駅及び着駅に対応した第１区間情報と、この第１区間における定期料金に対応した料金情報と、を含む定期券情報を記憶した定期券を発券する定期券の発券ほうほうにおいて、
定期券に記憶された定期券情報を読み取り、
前記第１区間の定期料金と同一の前記第１区間とは異なる区間であるとともに前記第１区間の前記発駅または前記着駅を起点とした第２区間への区間変更を受け付け、
区間変更の要求を受け付けた場合に、前記第１区間の前記発駅または前記着駅のいずれか一方を起点として設定させ、
読み取られた定期券情報に含まれる料金情報に基づいて、設定された起点に基づいた第２区間の候補を検索し、
検索された第２区間の候補が複数ある場合に、いずれか１つの第２区間候補を指定させ、
指定された前記第２区間に対応した第２区間情報を含む定期券情報を記憶した定期券を発券する、ことを特徴とする発券方法。
【発明の詳細な説明】
【０００１】
【発明の属する技術分野】
この発明は、発券機及び発券方法に係り、特に、定期券の継続購入及び新規購入処理を行う発券機及びこの発券機に適用される発券方法に関する。
【０００２】
【従来の技術】
近年、鉄道などの交通機関の駅には、定期券などの種々の券類を発券する発券機が設置され始めている。このような発券機は、利用者が継続定期券の発券を要求した場合、継続前の定期券から定期区間情報や料金情報などを含む定期券情報を読み取り、読み取った定期券情報に基づいて、継続前と同一の定期区間情報を記憶した定期券を発券する。
【０００３】
継続前の定期券と同一料金で、かつ、継続前の定期区間を含む経路内で区間変更を行う場合、以下のような方法がある。
【０００４】
すなわち、利用者があらかじめ変更可能な区間を調べ、発券機において、新規の定期券を購入する場合と同様の操作を行うことにより、区間変更した定期券を購入する。
【０００５】
あるいは、利用者が係員の居る窓口にて問い合わせ、区間変更した定期券を購入する。
【０００６】
【発明が解決しようとする課題】
上述したように、従来の発券機では、継続前の定期券と同一料金で、かつ、継続前の定期区間を含む経路内で区間変更を行う場合、利用者があらかじめ変更可能な区間を調べたり、新規の定期券を購入する場合と同様の操作を行う必要があり、利用者に負担がかかるとともに、１台の発券機を占有時間が長くなり、発券機の利用効率が低下するおそれがある。
【０００７】
また、係員の窓口にて区間変更を行う場合、係員が居ない場合に対応できず、利用者に対するサービス性が損なわれるおそれがある。
【０００８】
この発明は、上述した問題点に鑑みなされたものであって、その目的は、利用者の負担を軽減するとともに発券効率の低下を招くことなく、利用者に対するサービス性を向上することができる発券機及びこの発券機に適用される発券方法を提供することにある。
【０００９】
【課題を解決するための手段】
上記課題を解決し目的を達成するために、
請求項１に記載の発券機は、
第１区間に対応した第１区間情報と、この第１区間における定期料金に対応した料金情報と、を含む定期券情報を記憶した定期券を発券する定期券発券手段と、
定期券に記憶された定期券情報を読み取る読取手段と、
前記読取手段によって読み取られた定期券情報に含まれる料金情報に基づいて、同一定期料金の前記第１区間とは異なる区間であるとともに前記第１区間を含む経路内の第２区間の候補を検索する検索手段と、
前記定期券発券手段により、前記第２区間に対応した第２区間情報を含む定期券情報を記憶した定期券を発券させる制御手段と、
を備えたことを特徴とする。
【００１０】
請求項２に記載の発券機は、
第１区間に対応した第１区間情報と、この第１区間における定期料金に対応した料金情報と、を含む定期券情報を記憶した定期券を発券する定期券発券手段と、
定期券に記憶された定期券情報を読み取る読取手段と、
前記読取手段によって読み取られた定期券情報に含まれる料金情報に基づいて、同一定期料金の前記第１区間とは異なる区間であるとともに前記第１区間を含む経路内の第２区間の候補を検索する検索手段と、
前記検索手段によって検索された第２区間の候補が複数ある場合に、いずれか１つの第２区間候補を指定する指定手段と、
前記定期券発券手段により、前記指定手段によって指定された第２区間に対応した第２区間情報を含む定期券情報を記憶した定期券を発券させる制御手段と、
を備えたことを特徴とする。
【００１１】
請求項３に記載の発券機は、
第１区間に対応した第１区間情報と、この第１区間における定期料金に対応した料金情報と、を含む定期券情報を記憶した定期券を発券する定期券発券手段と、
定期券に記憶された定期券情報を読み取る読取手段と、
前記第１区間の定期料金と同一の前記第１区間とは異なる区間であるとともに前記第１区間を含む経路内の第２区間への区間変更を受け付ける区間変更手段と、
前記区間変更手段により、区間変更の要求を受け付けた場合に、前記読取手段によって読み取られた定期券情報に含まれる料金情報に基づいて、同一定期料金の前記第１区間とは異なる第２区間の候補を検索する検索手段と、
前記検索手段によって検索された第２区間の候補が複数ある場合に、いずれか１つの第２区間候補を指定する指定手段と、
前記定期券発券手段により、前記指定手段によって指定された第２区間に対応した第２区間情報を含む定期券情報を記憶した定期券を発券させる制御手段と、
を備えたことを特徴とする。
【００１２】
請求項４に記載の発券機は、
第１区間を規定する発駅及び着駅に対応した第１区間情報と、この第１区間における定期料金に対応した料金情報と、を含む定期券情報を記憶した定期券を発券する定期券発券手段と、
定期券に記憶された定期券情報を読み取る読取手段と、
前記読取手段によって読み取られた定期券情報に含まれる料金情報に基づいて、同一定期料金の前記第１区間とは異なる区間であるとともに前記第１区間の前記発駅または前記着駅を起点とした第２区間の候補を検索する検索手段と、
前記定期券発券手段により、前記第２区間に対応した第２区間情報を含む定期券情報を記憶した定期券を発券させる制御手段と、
を備えたことを特徴とする。
【００１３】
請求項５に記載の発券機は、
第１区間を規定する発駅及び着駅に対応した第１区間情報と、この第１区間における定期料金に対応した料金情報と、を含む定期券情報を記憶した定期券を発券する定期券発券手段と、
定期券に記憶された定期券情報を読み取る読取手段と、
前記読取手段によって読み取られた定期券情報に含まれる料金情報に基づいて、同一定期料金の前記第１区間とは異なる区間であるとともに前記第１区間の前記発駅または前記着駅を起点とした第２区間の候補を検索する検索手段と、
前記検索手段によって検索された第２区間の候補が複数ある場合に、いずれか１つの第２区間候補を指定する指定手段と、
前記定期券発券手段により、前記指定手段によって指定された第２区間に対応した第２区間情報を含む定期券情報を記憶した定期券を発券させる制御手段と、
を備えたことを特徴とする。
【００１４】
請求項６に記載の発券機は、
第１区間を規定する発駅及び着駅に対応した第１区間情報と、この第１区間における定期料金に対応した料金情報と、を含む定期券情報を記憶した定期券を発券する定期券発券手段と、
定期券に記憶された定期券情報を読み取る読取手段と、
前記第１区間の定期料金と同一の前記第１区間とは異なる区間であるとともに前記第１区間の前記発駅または前記着駅を起点とした第２区間への区間変更を受け付ける区間変更手段と、
前記区間変更手段により、区間変更の要求を受け付けた場合に、前記読取手段によって読み取られた定期券情報に含まれる料金情報に基づいて、同一定期料金の前記第１区間とは異なる第２区間の候補を検索する検索手段と、
前記検索手段によって検索された第２区間の候補が複数ある場合に、いずれか１つの第２区間候補を指定する指定手段と、
前記定期券発券手段により、前記指定手段によって指定された第２区間に対応した第２区間情報を含む定期券情報を記憶した定期券を発券させる制御手段と、
を備えたことを特徴とする。
【００１５】
請求項７に記載の発券機は、
第１区間を規定する発駅及び着駅に対応した第１区間情報と、この第１区間における定期料金に対応した料金情報と、を含む定期券情報を記憶した定期券を発券する定期券発券手段と、
定期券に記憶された定期券情報を読み取る読取手段と、
前記第１区間の定期料金と同一の前記第１区間とは異なる区間であるとともに前記第１区間の前記発駅または前記着駅を起点とした第２区間への区間変更を受け付ける区間変更手段と、
前記区間変更手段により、区間変更の要求を受け付けた場合に、前記第１区間の前記発駅または前記着駅のいずれか一方を起点として設定する設定手段と、
前記読取手段によって読み取られた定期券情報に含まれる料金情報に基づいて、前記設定手段によって設定された起点に基づいた第２区間の候補を検索する検索手段と、
前記検索手段によって検索された第２区間の候補が複数ある場合に、いずれか１つの第２区間候補を指定する指定手段と、
前記定期券発券手段により、前記指定手段によって指定された第２区間に対応した第２区間情報を含む定期券情報を記憶した定期券を発券させる制御手段と、
を備えたことを特徴とする。
【００１６】
請求項８に記載の発券方法は、
第１区間に対応した第１区間情報と、この第１区間における定期料金に対応した料金情報と、を含む定期券情報を記憶した定期券を発券する定期券の発券方法において、
定期券に記憶された定期券情報を読み取り、
読み取られた定期券情報に含まれる料金情報に基づいて、同一定期料金の前記第１区間とは異なる区間であるとともに前記第１区間を含む経路内の第２区間の候補を検索し、
前記第２区間に対応した第２区間情報を含む定期券情報を記憶した定期券を発券する、ことを特徴とする。
【００１７】
請求項９に記載の発券方法は、
第１区間に対応した第１区間情報と、この第１区間における定期料金に対応した料金情報と、を含む定期券情報を記憶した定期券を発券する定期券の発券方法において、
定期券に記憶された定期券情報を読み取り、
読み取られた定期券情報に含まれる料金情報に基づいて、同一定期料金の前記第１区間とは異なる区間であるとともに前記第１区間を含む経路内の第２区間の候補を検索し、
前記第２区間の候補が複数ある場合に、いずれか１つの第２区間候補を指定させ、
指定された前記第２区間に対応した第２区間情報を含む定期券情報を記憶した定期券を発券する、ことを特徴とする。
【００１８】
請求項１０に記載の発券方法は、
第１区間に対応した第１区間情報と、この第１区間における定期料金に対応した料金情報と、を含む定期券情報を記憶した定期券を発券する定期券の発券方法において、
定期券に記憶された定期券情報を読み取り、
前記第１区間の定期料金と同一の前記第１区間とは異なる区間であるとともに前記第１区間を含む経路内の第２区間への区間変更を受け付け、
区間変更の要求を受け付けた場合に、読み取られた定期券情報に含まれる料金情報に基づいて、同一定期料金の前記第１区間とは異なる第２区間の候補を検索し、
前記第２区間の候補が複数ある場合に、いずれか１つの第２区間候補を指定させ、
指定された前記第２区間に対応した第２区間情報を含む定期券情報を記憶した定期券を発券する、ことを特徴とする。
【００１９】
請求項１１に記載の発券方法は、
第１区間を規定する発駅及び着駅に対応した第１区間情報と、この第１区間における定期料金に対応した料金情報と、を含む定期券情報を記憶した定期券を発券する定期券の発券方法において、
定期券に記憶された定期券情報を読み取り、
読み取られた定期券情報に含まれる料金情報に基づいて、同一定期料金の前記第１区間とは異なる区間であるとともに前記第１区間の前記発駅または前記着駅を起点とした第２区間の候補を検索し、
前記第２区間に対応した第２区間情報を含む定期券情報を記憶した定期券を発券する、ことを特徴とする。
【００２０】
請求項１２に記載の発券方法は、
第１区間を規定する発駅及び着駅に対応した第１区間情報と、この第１区間における定期料金に対応した料金情報と、を含む定期券情報を記憶した定期券を発券する定期券の発券方法において、
定期券に記憶された定期券情報を読み取り、
読み取られた定期券情報に含まれる料金情報に基づいて、同一定期料金の前記第１区間とは異なる区間であるとともに前記第１区間の前記発駅または前記着駅を起点とした第２区間の候補を検索し、
検索された第２区間の候補が複数ある場合に、いずれか１つの第２区間候補を指定させ、
指定された前記第２区間に対応した第２区間情報を含む定期券情報を記憶した定期券を発券する、ことを特徴とする。
【００２１】
請求項１３に記載の発券方法は、
第１区間を規定する発駅及び着駅に対応した第１区間情報と、この第１区間における定期料金に対応した料金情報と、を含む定期券情報を記憶した定期券を発券する定期券の発券方法において、
定期券に記憶された定期券情報を読み取り、
前記第１区間の定期料金と同一の前記第１区間とは異なる区間であるとともに前記第１区間の前記発駅または前記着駅を起点とした第２区間への区間変更を受け付け、
区間変更の要求を受け付けた場合に、読み取られた定期券情報に含まれる料金情報に基づいて、同一定期料金の前記第１区間とは異なる第２区間の候補を検索し、
検索された第２区間の候補が複数ある場合に、いずれか１つの第２区間候補を指定させ、
指定された前記第２区間に対応した第２区間情報を含む定期券情報を記憶した定期券を発券する、ことを特徴とする。
【００２２】
請求項１４に記載の発券方法は、
第１区間を規定する発駅及び着駅に対応した第１区間情報と、この第１区間における定期料金に対応した料金情報と、を含む定期券情報を記憶した定期券を発券する定期券の発券ほうほうにおいて、
定期券に記憶された定期券情報を読み取り、
前記第１区間の定期料金と同一の前記第１区間とは異なる区間であるとともに前記第１区間の前記発駅または前記着駅を起点とした第２区間への区間変更を受け付け、
区間変更の要求を受け付けた場合に、前記第１区間の前記発駅または前記着駅のいずれか一方を起点として設定させ、
読み取られた定期券情報に含まれる料金情報に基づいて、設定された起点に基づいた第２区間の候補を検索し、
検索された第２区間の候補が複数ある場合に、いずれか１つの第２区間候補を指定させ、
指定された前記第２区間に対応した第２区間情報を含む定期券情報を記憶した定期券を発券する、ことを特徴とする。
【００２３】
【発明の実施の形態】
以下、この発明の発券機及びこの発券機に適用される発券方法の一実施の形態について図面を参照して説明する。
【００２４】
図１および図２は、この発明の発券機としての多機能乗車券発券機を説明する図であり、図１は、多機能乗車券発券機の外観を概略的に示す斜視図、図２は、図１に示した多機能乗車券発券機の制御系統を概略的に示すブロック図である。
【００２５】
図１に示すように、発券機２００の接客面には、利用客の接触を検知して接触された項目を選択するタッチパネル内蔵の表示部２０２が設けられている。この表示部２０２には、利用客が投入した現金の総額すなわち紙幣及び硬貨の投入金額、利用客が投入したプリペイドカードの残額、購入した乗車券の種類及びその金額、および釣銭金額など種々の情報が表示される。また、この表示部２０２には、投入された現金の投入金額またはプリペイドカードの残額に基づいて、発売路線の区間運賃を点灯表示する複数の口座釦２０８が表示される。
【００２６】
また、この接客面には、トラブルなどが発生した場合に係員を呼び出す係員呼出釦２０４と、発券処理などの取引処理を取り消す取消釦２０５とが設けられている。
【００２７】
さらに、この接客面には、購入枚数、大人用乗車券、小人用乗車券などの購入条件を指定する第１条件釦２１０Ａと、普通乗車券、往復乗車券、回数券、特急券、指定券、乗継乗車券、連絡乗車券などの乗車券類の券種を指定する第２条件釦２１０Ｂとが設けられている。また、第２条件釦２１０Ｂには、定期券の自動継続発券を要求する定期券釦２０６が含まれている。
【００２８】
また、自動券売機２００の接客面には、乗車券類及び定期券の発券時にプリペイドカード及び定期券などのカード類が投入及び排出されるとともに、自動継続定期券発券処理時に定期券が投入されるカード口２１２と、硬貨が投入される硬貨投入口２１４と、紙幣が投入される紙幣投入口２１６と、釣銭としての紙幣が排出される紙幣排出口２１８と、発券された乗車券類及び定期券が排出される発券口２２０と、釣銭としての硬貨が排出される硬貨排出口２２２などが設けられている。
【００２９】
図２に示すように、この乗車券発券機２００は、全体を制御する制御手段として機能するとともに、自動継続定期券発券処理時において、定期区間の変更候補を検索する検索手段として機能するＣＰＵ２４２を有している。
【００３０】
このＣＰＵ２４２には、ＣＰＵ２４２の制御プログラム、発売路線に対応した情報、この発売路線内の区間運賃に対応した情報、発売路線内の定期区間に対応した情報、各定期区間の料金に対応した情報などが記憶されるメモリ２４４が接続されている。
【００３１】
また、このＣＰＵ２４２には、カード口２１２から投入された定期券及びプリペイドカードなどのカード類に対して所定の処理を施すとともに、自動継続定期券発券処理時において、カード口２１２から投入された定期券に記録された所定の定期券情報を読み取る読取手段として機能するカード処理部２４６が接続されている。
【００３２】
この定期券情報は、定期区間に対応した定期区間情報、定期区間の料金に対応した料金情報、定期券の有効期限に対応した有効期限情報、利用客の利用客情報などを含んでいる。
【００３３】
このカード処理部２４６は、カード口２１２から投入されたカード類を内部に受け入れて搬送する搬送路及び複数の搬送ローラを有する搬送機構、投入されたカード類に磁気記録されている磁気情報を読み出すとともに投入されたカード類に対して磁気情報を書き込む磁気処理部、カード類、特にプリペイドカードに対して所定位置にパンチ孔を開けるパンチ処理部などを備えている。
【００３４】
さらに、このＣＰＵ２４２には、紙幣投入口２１６から投入された紙幣の真偽判定および種別判定などの処理を行う紙幣処理部２４８と、硬貨投入口２１４から投入された硬貨の真偽判定および種別判定などを行う硬貨処理部２５０とが接続されている。
【００３５】
またさらに、このＣＰＵ２４２には、ＣＰＵ２４２で算出した釣銭の合計金額に基づいて紙幣排出口２１８から釣銭としての紙幣を排出させるとともに硬貨排出口２２２から釣銭としての硬貨を排出させる釣銭処理部２５２と、口座釦２０８、第１条件釦２１０Ａ及び第２条件釦２１０Ｂを介して入力された利用区間情報に基づく乗車券類及び定期券を発券して、発券口２２０から発券した乗車券類及び定期券を排出させる定期券発券手段として機能する発券部２５４とが接続されている。
【００３６】
さらにまた、このＣＰＵ２４２には、自動継続定期券発券処理時において、継続定期券の発券処理を完了した継続前の定期券などの券類を回収する回収手段として機能する券回収部２５６と、ホストコンピュータとの間で情報を相互に通信する通信制御部２５８とが接続されている。
【００３７】
またさらに、このＣＰＵ２４２には、表示部２０２が接続されている。この表示部２０２は、上述したように、タッチパネルを内蔵し、自動継続定期券発券処理時において、継続前の定期券の定期区間を、この定期区間を含む経路内で区間変更の要求を受け付ける区間変更釦を表示する区間変更手段として機能する。また、この表示部２０２は、区間変更の要求を受け付けた場合、検索した変更候補が複数ある際に、利用者によって所望の区間の指定を受け付ける指定手段として機能する。さらに、この表示部２０２は、区間変更の要求を受け付けた場合、継続前の定期券の定期区間のうち、発駅または着駅を起点としての設定を受け付ける設定手段として機能する。
【００３８】
普通乗車券、往復乗車券、回数券、特急券、指定券、乗継乗車券などの乗車券類を発券する場合、ＣＰＵ２４２は、カード処理部２４６を制御して、カード口２１２から投入されたプリペイドカードから残額に対応した残額情報を読み出し、読み出した情報に基づいてプリペイドカードの残額を算出して表示部２０２に表示させる。また、ＣＰＵ２４２は、紙幣処理部２４８及び硬貨処理部２５０を制御して、紙幣投入口２１６から投入された紙幣の投入金額、及び硬貨投入口２１４から投入された硬貨の投入金額を算出し、表示部２０２に表示させる。
【００３９】
そして、ＣＰＵ２４２は、投入金額に応じて発券可能な口座釦２０８を表示部２０２に表示させ、利用客によって選択された口座釦２０８の利用区間を有する乗車券類を発券部２５４に発行させるように制御する。
【００４０】
そして、ＣＰＵ２４２は、発券部２５４を制御して、発券口２２０から発券した乗車券類を排出させる。
【００４１】
そして、ＣＰＵ２４２は、利用客によって投入された投入金額の合計金額と、利用客によって選択された口座釦２０８が示す区間運賃とに基づいて、釣銭を算出し、釣銭処理部２５２を制御して、紙幣排出口２１８及び硬貨排出口２２２から釣銭を排出させる。
【００４２】
次に、この発券機における自動継続定期券発券処理について説明する。
【００４３】
この自動継続定期券発券処理では、図３に示したような路線内において、継続前の定期券がＣ駅を発駅とし、Ｆ駅を着駅とした定期区間Ｃ−Ｆに対応した定期区間情報を記憶しているものとし、発駅Ｃ駅の前後にＡ駅、Ｂ駅、及びＤ駅があり、着駅Ｆ駅の前後にＥ駅及びＧ駅があるものとする。
【００４４】
まず、この発券機における第１の自動継続定期券発券処理について説明する。
【００４５】
すなわち、図６のフローチャートに示すように、ＣＰＵ２４２は、第２条件釦２１０Ｂに含まれる定期券釦２０６が押下されたか否かを検知して、自動継続定期券発券処理（または、新規定期券の区間変更処理）が要求されたか否かを判断する（ＳＴ１１）。
【００４６】
続いて、ＣＰＵ２４２は、自動継続定期券発券処理が要求されたと判断した場合（ＳＴ１１、Ｙ）、カード口２１２付近に設けられたセンサの出力に基づいて、カード口２１２から定期券を受け取ったか否かを判断する（ＳＴ１２）。
【００４７】
続いて、ＣＰＵ２４２は、カード口２１２から定期券を受け取ったと判断した場合には（ＳＴ１２、Ｙ）、カード処理部２４６を制御して、定期券に記憶された定期券情報を読み取る（ＳＴ１３）。このとき、ＣＰＵ２４２は、定期券情報として、定期区間に対応した定期区間情報、定期区間の料金に対応した料金情報、定期券の有効期限に対応した有効期限情報、利用客の利用客情報などを読み取る。
【００４８】
続いて、ＣＰＵ２４２は、図４に示すように、表示部２０２に、読み取った定期区間情報に基づいて現在の定期区間「Ｃ−Ｄ」３０１を表示するとともに、継続前の定期券と同一料金で、かつ、現在の定期区間を含む経路内での定期区間の変更を受け付ける区間変更釦３０２を表示する。この実施の形態に係る発券機では、例えば「区間変更しますか？」の質問に対して、「はい」及び「いいえ」に対応する釦３０２Ａ及び３０２Ｂを表示部２０２に表示し、これらいずれかの釦の押下を検知することによって区間変更釦３０２として利用している。
【００４９】
続いて、ＣＰＵ２４２は、表示部２０２の「はい」釦３０２Ａの押下が押下されたか否かを検知することにより、区間変更の要求があったか否かを判断する（ＳＴ１４）。そして、ＣＰＵ２４２は、表示部２０２の「はい」釦３０２Ａの押下を検知して、区間変更の要求があったと判断した場合には（ＳＴ１４、Ｙ）、読み取った継続前定期券の料金情報に基づいて、同一料金でかつ継続前の定期区間を含む経路内での定期区間の変更候補をメモリ２４４から検索する（ＳＴ１５）。
【００５０】
続いて、ＣＰＵ２４２は、図５に示すように、検索した変更区間候補を表示部２０２に表示する（ＳＴ１６）。このとき、ＣＰＵ２４２は、特に起点を指定せず、継続前の発駅または着駅を含むような定期区間をすべて変更区間候補として検索し、表示部２０２に表示する。
【００５１】
続いて、ＣＰＵ２４２は、表示部２０２に表示された変更区間候補のいずれかの候補に対応した釦が押下されたか否かを検知することにより、変更区間候補が指定されたか否かを判断する（ＳＴ１７）。
【００５２】
そして、ＣＰＵ２４２は、例えば表示部２０２に表示された変更区間候補「Ｂ−Ｅ」釦３０３の押下を検知した場合には（ＳＴ１７、Ｙ）、発券部２５４を制御して、継続前と同一料金で、かつ、定期区間「Ｂ−Ｅ」に対応した定期区間情報を有する定期券を発券し（ＳＴ１８）、発券口２２０から継続定期券を排出する。
【００５３】
ステップＳＴ１４において、ＣＰＵ２４２は、表示部２０２の「いいえ」釦３０２Ｂの押下を検知して、区間変更の要求が無かったと判断した場合には（ＳＴ１４、Ｎ）、発券部２５４を制御して、継続前と同一の定期区間情報を有する定期券を発券し（ＳＴ１８）、発券口２２０から継続定期券を排出する。
【００５４】
また、ステップＳＴ１６において、ＣＰＵ２４２は、表示部２０２に変更区間候補を表示した際に、図５に示したように、同時に、「もどる」釦３０４を表示する。そして、ＣＰＵ２４２は、「もどる」釦３０４の押下を検知した場合には、いったん、区間変更処理を中止し、図４に示したような区間変更の要求を受け付ける画面に戻る。
【００５５】
ＣＰＵ２４２は、発券口２２０付近に設けられたセンサの出力に基づいて、発券口２２０から定期券が受け取られたと判断した場合には、この自動継続定期券発券処理を終了する。
【００５６】
上述した実施の形態によれば、継続定期券を発券する際に、継続前と同一料金で、かつ、継続前の定期区間を含む経路内で区間変更したい場合に、利用者があらかじめ変更可能な区間を調べたり、新規の定期券を購入する場合と同様の操作を行う必要がなくなり、利用者の負担を増加することなく、スムーズに区間変更した継続定期券の発券処理を行うことが可能となる。
【００５７】
したがって、利用者に対するサービス性を向上することができる。
【００５８】
次に、この発券機における第２の自動継続定期券発券処理について説明する。
【００５９】
すなわち、図７のフローチャートに示すように、ＣＰＵ２４２は、第２条件釦２１０Ｂに含まれる定期券釦２０６が押下されたか否かを検知して、自動継続定期券発券処理が要求されたか否かを判断する（ＳＴ２１）。
【００６０】
続いて、ＣＰＵ２４２は、自動継続定期券発券処理が要求されたと判断した場合（ＳＴ２１、Ｙ）、カード口２１２付近に設けられたセンサの出力に基づいて、カード口２１２から定期券を受け取ったか否かを判断する（ＳＴ２２）。
【００６１】
続いて、ＣＰＵ２４２は、カード口２１２から定期券を受け取ったと判断した場合には（ＳＴ２２、Ｙ）、カード処理部２４６を制御して、定期券に記憶された定期券情報を読み取る（ＳＴ２３）。
【００６２】
続いて、ＣＰＵ２４２は、図４に示すように、表示部２０２に、読み取った定期区間情報に基づいて現在の定期区間「Ｃ−Ｄ」３０１を表示するとともに、継続前の定期券と同一料金で、かつ、現在の定期区間を含む経路内での定期区間の変更を受け付ける区間変更釦３０２を表示する。
【００６３】
続いて、ＣＰＵ２４２は、表示部２０２の「はい」釦３０２Ａの押下が押下されたか否かを検知することにより、区間変更の要求があったか否かを判断する（ＳＴ２４）。
【００６４】
続いて、ＣＰＵ２４２は、表示部２０２の「はい」釦３０２Ａの押下を検知して、区間変更の要求があったと判断した場合には（ＳＴ２４、Ｙ）、現在の定期区間のうち、発駅Ｃまたは着駅Ｆのいずれを起点とした区間変更を希望するか、利用者に問い合わせる。すなわち、ＣＰＵ２４２は、表示部２０２に、発駅Ｃまたは着駅Ｆのいずれかを起点とするように、例えば、「起点を選択してください」といったメッセージを表示する。
【００６５】
続いて、ＣＰＵ２４２は、図４に示したように、表示部２０２の発駅「Ｃ」釦３０１Ａの押下を検知した場合には（ＳＴ２５、Ｙ）、読み取った継続前定期券の料金情報に基づいて、同一料金でかつ継続前の定期区間を含む経路内で継続前の定期区間の発駅「Ｃ」を起点とした定期区間の変更候補をメモリ２４４から検索する（ＳＴ２７）。
【００６６】
続いて、ＣＰＵ２４２は、図８に示すように、検索した変更区間候補を表示部２０２に表示する（ＳＴ２８）。このとき、ＣＰＵ２４２は、発駅「Ｃ」を起点としたすべての変更区間候補を表示部２０２に表示する。
【００６７】
続いて、ＣＰＵ２４２は、表示部２０２に表示された変更区間候補のいずれかの候補に対応した釦が押下されたか否かを検知することにより、変更区間候補が指定されたか否かを判断する（ＳＴ２９）。
【００６８】
そして、ＣＰＵ２４２は、例えば表示部２０２に表示された変更区間候補「Ｃ−Ｅ」釦３０５の押下を検知した場合には（ＳＴ２９、Ｙ）、発券部２５４を制御して、継続前と同一料金で、かつ、定期区間「Ｃ−Ｅ」に対応した定期区間情報を有する定期券を発券し（ＳＴ３０）、発券口２２０から継続定期券を排出する。
【００６９】
一方、ＣＰＵ２４２は、図４に示したように、表示部２０２の発駅「Ｃ」釦３０１Ａの押下を検知せず（ＳＴ２５、Ｎ）、着駅「Ｆ」釦３０１Ｂの押下を検知した場合には（ＳＴ２６、Ｙ）、読み取った継続前定期券の料金情報に基づいて、同一料金でかつ継続前の定期区間を含む経路内で継続前の定期区間の着駅「Ｆ」を起点とした定期区間の変更候補をメモリ２４４から検索する（ＳＴ２７）。
【００７０】
続いて、ＣＰＵ２４２は、図９に示すように、検索した変更区間候補を表示部２０２に表示する（ＳＴ２８）。このとき、ＣＰＵ２４２は、着駅「Ｆ」を起点としたすべての変更区間候補を表示部２０２に表示する。
【００７１】
続いて、ＣＰＵ２４２は、表示部２０２に表示された変更区間候補のいずれかの候補に対応した釦が押下されたか否かを検知することにより、変更区間候補が指定されたか否かを判断する（ＳＴ２９）。
【００７２】
そして、ＣＰＵ２４２は、例えば表示部２０２に表示された変更区間候補「Ａ−Ｆ」釦３０６の押下を検知した場合には（ＳＴ２９、Ｙ）、発券部２５４を制御して、継続前と同一料金で、かつ、定期区間「Ａ−Ｆ」に対応した定期区間情報を有する定期券を発券し（ＳＴ３０）、発券口２２０から継続定期券を排出する。
【００７３】
ステップＳＴ１４において、ＣＰＵ２４２は、表示部２０２の「いいえ」釦３０２Ｂの押下を検知して、区間変更の要求が無かったと判断した場合には（ＳＴ２４、Ｎ）、発券部２５４を制御して、継続前と同一の定期区間情報を有する定期券を発券し（ＳＴ３０）、発券口２２０から継続定期券を排出する。
【００７４】
また、ステップＳＴ２８において、ＣＰＵ２４２は、表示部２０２に変更区間候補を表示した際に、図８及び図９に示したように、同時に、「もどる」釦３０７及び３０８を表示する。そして、ＣＰＵ２４２は、「もどる」釦３０７及び３０８の押下を検知した場合には、いったん、区間変更処理を中止し、図４に示したような区間変更の要求を受け付ける画面に戻る。
【００７５】
ＣＰＵ２４２は、発券口２２０付近に設けられたセンサの出力に基づいて、発券口２２０から定期券が受け取られたと判断した場合には、この自動継続定期券発券処理を終了する。
【００７６】
上述した実施の形態によれば、継続定期券を発券する際に、継続前と同一料金で、かつ、継続前の定期区間を含む経路内で区間変更したい場合に、利用者があらかじめ変更可能な区間を調べたり、新規の定期券を購入する場合と同様の操作を行う必要がなくなり、利用者の負担を増加することなく、スムーズに区間変更した継続定期券の発券処理を行うことが可能となる。
【００７７】
したがって、利用者に対するサービス性を向上することができる。
【００７８】
【発明の効果】
以上説明したように、この発明によれば、利用者の負担を軽減するとともに発券効率の低下を招くことなく、利用者に対するサービス性を向上することができる発券機及びこの発券機に適用される発券方法を提供することができる。
【図面の簡単な説明】
【図１】図１は、この発明の発券機の一実施の形態に係る構成を概略的に示す斜視図である。
【図２】図２は、図１に示した発券機の制御系の構成を概略的に示すブロック図である。
【図３】図３は、この発明の発券機に適用される自動継続定期券発券処理における継続前の定期区間を含む経路を概略的に示す図である。
【図４】図４は、この発明の発券機に適用される自動継続定期券発券処理における区間変更画面の一例を示す図である。
【図５】図５は、第１の自動継続定期券発券処理における変更区間候補の表示画面の一例を示す図である。
【図６】図６は、第１の自動継続定期券発券処理を説明するためのフローチャートである。
【図７】図７は、第２の自動継続定期券発券処理を説明するためのフローチャートである。
【図８】図８は、第２の自動継続定期券発券処理における変更区間候補の表示画面の一例を示す図である。
【図９】図９は、第２の自動継続定期券発券処理における変更区間候補の表示画面の一例を示す図である。
【符号の説明】
２００…発券機
２０２…表示部
２０６…定期券釦
２１０Ａ…第１条件釦
２１０Ｂ…第２条件釦
２１２…カード口
２２０…発券口
２４２…ＣＰＵ
２４４…メモリ
２４６…カード処理部
２５４…発券部
３０１…定期区間
３０２…区間変更釦
【図１】
0004427156.tif 000002
【図２】
0004427156.tif 000003
【図３】
0004427156.tif 000004
【図４】
0004427156.tif 000005
【図５】
0004427156.tif 000006
【図６】
0004427156.tif 000007
【図７】
0004427156.tif 000008
【図８】
0004427156.tif 000009
【図９】
0004427156.tif 000010